(57)【特許請求の範囲】
【請求項１】
起毛した被清掃面の起毛間に進入可能な繊維を表面に無数有し、該繊維が、エアレイド不織布を構成する繊維を主体とし且つ前記起毛間に存する繊維状のダストを掻き取りうる掻き取り部と、掻き取られた前記繊維状のダストを保持し得る高保持部とを具備し、清掃に直接寄与しない滑らかな部位を更に有し、該部位並びに、前記掻き取り部及び前記高保持部が前記シートの清掃面内に規則的又は不規則に配置されている清掃用シート。
【請求項２】
前記掻き取り部は、少なくともその表面部が、繊度２３〜２００ｄｔｅｘの繊維から構成されるエアレイド不織布からなる請求項１記載の清掃用シート。
【請求項３】
前記高保持部は、前記繊維状のダストと物理的に絡み合うことにより該ダストを保持するか、又は粘性物質によって前記繊維状のダストを粘着又は接着することにより該ダストを保持するものである請求項１又は２記載の清掃用シート。
【発明の詳細な説明】
【０００１】
【発明の属する技術分野】
本発明は、カーペット、絨毯、ソファー、自動車シート等の表面が毛羽立った形状を有する面、特にパイル状の繊維からなる面（起毛した面）の清掃性に優れた清掃用シートに関する。
【０００２】
【従来の技術及び発明が解決しようとする課題】
特開平１０−６０７６１号公報には、大小広範囲のダストの捕集を目的として、繊度が１．５〜３デニールの繊維からなるエアレイド不織布と、６〜３２デニールの繊維からなるエアレイド不織布とを継ぎ合わせて清掃用シートを構成することが記載されている。しかし、この清掃用シートは、フローリング等の平滑面の清掃を目的としており、カーペット等の起毛面の清掃には不向きである。
【０００３】
特開２０００−１１００５７号公報には、カーペット等の起毛面の清掃用シートとして、網状構造物及び熱収縮性繊維を含むウエブを三次元交絡処理後、加熱処理して該ウエブを熱収縮させて、前記網状構造物を前記ウエブの表面に突出させたシートが記載されている。しかし、このシートにおいて起毛間に進入可能な部位は前記網状構造物の部分なので、該網状構造物の起毛間への進入の程度は該網状構造物の形態により左右され、また進入の数は限られる。また突出した前記網状構造物の剛性は起毛に比較してかなり高いことから、起毛面が傷められるおそれがある。更に、突出した前記網状構造物の構造と前記ウエブの構造とは一体不可分であり、両者を別々にコントロールすることは難しい。更に、前記網状構造物を十分に突出させるために前記ウエブの繊維自由度を抑える必要があり、このことは、該ウエブでダストを保持しようとする観点からはマイナスに作用する。要するに、前記公報に記載のシートでは、ダストを掻き出す能力及び掻き出されたダストを保持する能力ともに十分なものとは言えない。
【０００４】
特開平９−２１０５５号公報には、表層の短繊維の配向がランダムに近い複合不織布が記載されている。しかし、この複合不織布は、その配向及び繊維成分をコントロールすることによって、嵩高で、風合い及び感触を良好にしようとするものである。従って、この複合不織布は起毛面の清掃に有効なワイパーとはなり得ない。
【０００５】
特開平１０−２６２８８４号公報には、短繊維不織布と極太繊維のネット状物とが積層されてなる多層構造のワイパーが記載されている。このワイパーは、表面に凹凸を設けることで、ダストの掻き出しと保持とを両立させている。従って、このワイパーは、ダストの掻き出し及びその保持を別々の機能シートを組み合わせて行おうとする本発明とは、発想においても、構成においても異なる。
【０００６】
特開２０００−２２５０８４号公報には、カーペットの中に入り込んだ毛髪等を容易に除去することを目的として、鉤状突起部を有する掻取シートをローラーに巻き付けたクリーナーが記載されている。しかし、このクリーナーでは、鉤状突起部を掻取シートに設け得る数が限られるため、毛髪等の除去性能の向上が困難である。仮に鉤状突起部の数を増やせたとしても、鉤状突起部による被清掃面へのダメージが大きくなってしまう。つまり、毛髪等の除去性能の向上と、被清掃面へのダメージの低減とを両立させることが困難である。更に、このクリーナーでは、該クリーナーに捕集された毛髪等を除去して、これを再使用することが困難であるので、使い捨て用途にしか使用できないと考えられるが、構造が複雑であることから製造経費が高く、使い捨て用途とするには不経済である。
【０００７】
従って、本発明は、カーペット等の起毛面に絡み付いている髪の毛や綿ぼこり等の繊維状のダストの清掃性に優れた清掃用シートを提供することを目的とする。
また本発明は、起毛面を傷めることなく清掃性に優れた清掃用シートを提供することを目的とする。
【０００８】
【課題を解決するための手段】
本発明は、起毛した被清掃面の起毛間に進入可能な繊維を表面に無数有し、該繊維が、エアレイド不織布を構成する繊維を主体とし且つ前記起毛間に存する繊維状のダストを掻き取りうる掻き取り部と、掻き取られた前記繊維状のダストを保持し得る高保持部とを具備し、清掃に直接寄与しない滑らかな部位を更に有し、該部位並びに、前記掻き取り部及び前記高保持部が前記シートの清掃面内に規則的又は不規則に配置されている清掃用シートを提供することにより前記目的を達成したものである。
【０００９】
【発明の実施の形態】
以下、本発明を、その好ましい実施形態に基づき説明する。図１には、本発明の清掃用シートの元となる清掃用シートの斜視図が示されている。図１に示す清掃用シート１０は起毛面の清掃に用いられるものであり、複数枚の第１のシート１１と、第１のシート１１とは別の一枚の第２のシート１２とを有している。第１のシート１１は短冊状である。各第１のシート１１の長辺は何れも同寸である。短辺は同寸でもよく或いは異なっていてもよい。第２のシート１２は矩形状であり、第１のシート１１の長辺と同寸の長辺を有し、一方、短辺は第１のシート１１の短辺の５〜１５倍程度の寸法となっている。
【００１０】
第１のシート１１は、その長辺方向が、第２のシート１２の長辺方向と一致するようにほぼ等間隔を置いて配置されている。第１のシート１１は、第２のシート１２へ、所定の固定手段、例えば、熱融着、ホットメルト粘着剤による接着、両面テープによる貼着、ミシンなどによるレーシング等の方法によって固定されている。そして、両端に位置する第１のシート１１間の領域が、清掃用シート１０の清掃領域Ｃとして機能する。
【００１１】
第１のシート１１は、起毛した被清掃面の起毛間に進入可能な繊維を表面に無数有し、該繊維がエアレイド不織布を構成する繊維を主体としている掻き取り部として機能する。一方、第２のシート１２は、掻き取り部よりもダストを保持する能力が高い高保持部として機能する。即ち、清掃用シート１０は、掻き取り部と高保持部とを具備している。掻き取り部と異なり、高保持部にはダストを掻き出す能力は要求されない。
【００１２】
清掃用シート１０においては、起毛間に存する繊維状のダストを、エアレイド不織布を構成する繊維を主体としている掻き取り部によって掻き取る。該繊維は、起毛間に存する繊維状のダストを掻き取り得るに足る十分な剛性を有している。このような剛性を得るために、好ましくは単繊維長５〜１０ｍｍ、太さ２３〜２００ｄｔｅｘの繊維を用いる。掻き取られた繊維状のダストは、掻き取り部にも保持されるが、ダストの保持する能力が高い高保持部に保持される。特に綿ボコリなど、髪の毛に比較してより細い繊維状ダストでは、掻き出された後の保持に関して、高保持部の寄与がより大きくなる。このようにして被清掃面の起毛間から繊維状のダストが効果的に除去され、除去されたダストが清掃用シートに保持される。掻き取り部が、エアレイド不織布を構成する繊維を主体としているので、前述した特開２０００−１１００５７号公報に記載の複合不織布と比較しても、本実施形態の清掃用シート１０における繊維の方が剛性が低く、起毛を傷めるおそれが更に小さい。また、本発明の清掃用シート１０を、長い柄の先端のヘッド部に取り付けた場合に、立った姿勢で小さい力で楽に清掃できる。本発明では、エアレイド不織布とは二つの意味を持つ。一つは、掻き取り部を構成する第１のシート１１における掻き取り機能に直接寄与する表面の部分であって、エアレイド製法により形成された部分を意味する。もう一つは、該表面の部分を含む第１のシート１１全体を意味する。以下の説明においては、掻き取り部におけるエアレイド製法によって形成された表面の部分を「表面エアレイド」と呼び、表面エアレイドを含む第１のシート１１全体を「エアレイド不織布」と呼ぶ。
【００１３】
掻き取り部を構成する第１のシート１１は、前述の通り、起毛した被清掃面の起毛間に進入可能な繊維を表面に無数有し、表面エアレイドを構成する繊維を主体としている。一般にエアレイド製法は、その構成繊維を解繊して空気の流れにのせて搬送し、金網又は細孔を有するスクリーンを通過させた後、ワイヤーメッシュ上に落下堆積させるエアレイ法によりウエブを形成し、該ウエブにおける前記繊維同士の交点を熱融着や熱接着等の所定手段によって結合させるものである。或いはウエブの形成前後を問わず、エアレイド不織布を構成する繊維以外のバインダー成分を添加しこれに加熱等により接着性を生じさせ、繊維同士を接着、結合させエアレイド不織布を形成することも可能である。一般にエアレイド製法では、その製造方法に起因して、その構成繊維の先端部が、表面及びその近傍に無数存在しているので、これを第１のシート１１の少なくとも表面部に用いることで、該繊維が被清掃面の起毛間に進入して、該起毛間からダストを掻き出すことが可能となる。また一般にエアレイド不織布は、その構成繊維が三次元的にランダムな状態で分散しているので、清掃の方向に異方性が無く、狭い部分の清掃等も容易にできる。
【００１４】
特に、表面エアレイドが、繊度２３〜２００ｄｔｅｘ、特に３２〜１５０ｄｔｅｘの繊維から構成されていることで、起毛を傷めず且つ清掃時の摩擦力を過度に大きくせずに、起毛間から繊維状のダストを掻き取るのに十分な剛性を該構成繊維に付与できるので好ましい。
【００１５】
表面エアレイドの構成繊維は、その繊維長が、１〜１５ｍｍ、特に２〜１０ｍｍであることが、清掃用シート１０の少なくとも表面部に前記構成繊維の先端部を無数に存在させ得る点、清掃時に該構成繊維が脱落することを防止する点、及びウエブの形成が容易である点から好ましい。
【００１６】
表面エアレイドの構成繊維は捲縮していても或いはしていなくてもよい。捲縮している場合、ジグザグ型等の二次元捲縮繊維及びスパイラル型やオーム型等の三次元（立体）捲縮繊維の何れも使用できる。
【００１７】
表面エアレイドの構成繊維は、例えばポリプロピレン、ポリエチレン、プロピレンとαオレフィンとからなる結晶性プロピレン共重合体等のポリオレフィン樹脂；ポリアミド樹脂；ポリエチレンテレフタレート、ポリブチレンテレフタレート、ジオールとテレフタル酸／イソフタル酸等を共重合した低融点ポリエステル、ポリエステルエラストマー等のポリエステル樹脂；フッ素樹脂等の熱可塑性樹脂から構成されている。表面エアレイドの構成繊維は、これらの樹脂から構成されている単一成分の繊維でもよく、これらの樹脂を適宜組み合わせて構成される複合繊維、例えば並列型、鞘芯型、偏心鞘芯型、三層以上の多層型、中空並列型、中鞘芯型、異形鞘芯型、海島型等で且つ低融点樹脂が繊維表面の少なくとも一部を形成した構造の複合繊維でもよい。これらの繊維に更にレーヨンやパルプ等を混合したり、或いはレーヨンやパルプ等を単独で用いて表面エアレイドを形成することもできる。
【００１８】
エアレイド不織布は、その坪量が１０〜５００ｇ／ｍ２、特に２０〜２００ｇ／ｍ２であることが好ましい。坪量が５００ｇ／ｍ２超であると、シート自身のコストが高くなり且つ高速な生産に不向きな為、使い捨て製品の用途には適さない。坪量が１０ｇ／ｍ２未満では、不織布化自体が困難であり、また、起毛間からダストを掻き出すことが困難になる場合がある。
【００１９】
エアレイド不織布（即ち第１のシート１１）が表面エアレイドと他のシートとの複合体で形成されている場合の表面エアレイドの坪量は、複合されたシートの強度によって決められる。例えば前記複合体に強度のあるシートが存在する場合は、表面エアレイドの坪量を低めにしても、表面エアレイドの部分の崩壊を防止することができる。一方前記シートが存在しない場合、或いは存在しても強度が著しく低い場合には、表面エアレイドの坪量を高めにし、表面エアレイドの部分の崩壊を防止することが好ましい。
【００２０】
また、エアレイド不織布は、その厚みが０．２〜５ｍｍ、特に０．４〜５ｍｍ、とりわけ０．５〜３．５ｍｍであることが好ましい。厚みが５ｍｍ超となるとシートの柔軟性が低くなったり、他のシートとの接合が困難となり、高速生産に適さない場合がある。厚みが０．４ｍｍ未満では、清掃用シートの捕集性能が低下する場合がある。
【００２１】
前述の通り、清掃シート１０における掻き取り部を構成する表面エアレイドとしては、全ての繊維が前述の範囲のものであることが好ましい。しかし、製造等の観点から、繊度１〜１１ｄｔｅｘ程度、繊維長１〜１５ｍｍ程度の起毛面の清掃には、直接寄与しない繊維を５０重量％以下、特に２０重量％以下程度混ぜ込むことも可能である。
【００２２】
図１に示す清掃用シート１０における第２のシート１２としては、掻き取り部で掻き取られた繊維状のダストを何らかの機構で保持し得る性能を有するものが用いられる。繊維状のダストの保持機構としては、（１）シートを構成する繊維との物理的な絡み合いによる保持機構（２）粘着剤等の粘性物質との粘着又は接着による保持機構などがある。（１）の保持機構を利用する場合には、第２のシート１２として、例えば繊維同士の物理的な絡み合いでシートが形成されている不織布であるスパンレース不織布等を用いることが好ましい。また繊維の結合状態がコントロールされたエアスルー不織布を用いても良い。更に、物理的な絡み合いに寄与できる繊維本数が多く且つそれぞれの繊維が細い分割繊維から構成されているスパンボンド不織布を用いても良い。（２）の保持機構を利用する場合には、第２のシート１２として、不織布等のシート材の表面にホットメルト粘着剤などの粘着剤が付与された粘着性シートを用いることが好ましい。
【００２３】
第１のシート１１は第２のシート１２上に配置され、第１のシート１１から構成される掻き取り部と、第２のシート１２から構成される高保持部とは、清掃シート１０の清掃面内に規則的に配置されることになる。勿論、第１のシート１１の配置間隔や、各第１のシート１１の形状等を異ならせることで、前記掻き取り部と高保持部とが不規則に配置されるようにしてもよい。清掃用シート１０がこのような構成を有することによって、繊維状のダストのみならず、その他の様々な種類のダストの捕集性が良好となる。
【００２４】
ダストの掻き取り性及び掻き取られたダストの捕集性を一層高める点から、清掃時において、清掃用シート１０における掻き取り部が被清掃面に主に接触し、高保持部の被清掃面への接触は、掻き取り部の被清掃面への接触よりも小さいことが好ましい。掻き取り部及び高保持部の被清掃面への接触の程度をこのように調整するには、例えば、掻き取り部の上面と高保持部の上面との間に、掻き取り部の上面の方が高くなるような所定高さの段差を設ければよい。具体的には、掻き取り部を構成する第１のシート１１の厚みを比較的厚くすればよい。例えば、第１のシート１１の厚みを０．２〜５ｍｍ、特に０．４〜５ｍｍ、とりわけ０．５〜３．５ｍｍとすることで、第１のシート１１の上面１１ａと第２のシート１２の上面１２ａとの間に段差が設けられ、掻き取り部の被清掃面への接触の程度を十分に大きくすることができる。この他、図１に示すように、掻き取り部として機能する第１のシート１１を、高保持部として機能する第２シート１２に貼り合わせる手段、或いは高保持部を構成する第２のシート１２の接触面積（露出面積）を小さくする手段などが挙げられる。
【００２５】
次に、本発明の一実施形態について図２を参照しながら説明する。この実施形態に関しては、図１に示す清掃用シートと異なる点についてのみ説明し、特に説明しない点については、図１に示す清掃用シートに関して詳述した説明が適宜適用される。また図２において、図１と同じ部材には同じ符号を付してある。
【００２６】
図２に示す実施形態における清掃用シート１０は、図１に示す清掃用シートと同様に、高保持部として機能する第２のシート１２上に、掻き取り部として機能する短冊状の第１のシート１１が複数配されている。これら掻き取り部及び高保持部に加えて、清掃用シート１０は、シート材からなる清掃に直接寄与しない滑らかな部位１３を更に有し、該部位１３並びに掻き取り部及び高保持部が清掃用シート１０の清掃面内に規則的に配置されている。前記滑らかな部位１３は、清掃用シート１０の使用時に、被清掃面に対する摩擦を低減させる部位である（摩擦低減部位ともいう）。
【００２７】
前記滑らかな部位１３は、清掃用シート１０の清掃領域Ｃにおける最外方に位置する掻き取り部の端部に配されていることが好ましく、特に、清掃用シート１０の清掃方向における最外方に位置する掻き取り部の端部に配されていることが好ましい。本実施形態においては、第１のシート１１の短手方向（図中、矢印Ａで示す方向）が清掃方向であることから、摩擦低減部位１３は、３つの短冊状の第１のシート１１のうちの両端のシート上に、該シートの長手方向に沿って配されている。また、前記滑らかな部位１３は、両端の第１のシート１１全体を被覆するのではなく、第１のシート１１の外方側の領域のみを被覆している。更に、前記滑らかな部位１３は、第１のシート１１の長辺から延出して第２のシート１２上も被覆している。前記滑らかな部位１３を構成するシート材は、例えば、熱融着、ホットメルト粘着剤による接着、両面テープによる貼着、ミシンなどによるレーシング等の所定の接合手段によって第１のシート１１及び第２のシート１２に接合固定されている。尚、前記滑らかな部位１３の形状及び寸法は、該滑らかな部位１３を構成する材料の厚さ及び平滑性並びに第１及び第２のシートの種類等に応じて適宜変更できる。例えば、清掃用シートの清掃領域Ｃを大きくしようとすれば、前記滑らかな部位１３の面積は小さくなり、摩擦抵抗の低減効果は小さくなる。逆に、摩擦抵抗を小さくするために、前記滑らかな部位１３の面積を大きくすれば、当然清掃領域Ｃが小さくなる。
【００２８】
前記滑らかな部位１３を構成するシート材は、清掃時の摩擦力を十分に低減できる程度に滑らかであれば良く、該シート材としては、プラスチック製のフィルム材等が挙げられる。また、清掃時の摩擦力を十分に低減できる範囲において、該フィルム材等にエンボス加工等の非平滑加工が施されていても良い。また不織布や他のフィルム材で補強されていてもよい。
【００２９】
具体的には、一般に包装材料として用いられるフィルム材が好適に使用出来る。例えば、ポリオレフィン、ポリエステル、ポリアミド等の熱可塑性樹脂から構成されるフィルム材が挙げられる。またアルミ箔等の金属薄膜を用いることもできる。更に、熱可塑性樹脂から構成されるフィルム材と金属薄膜とのラミネートを用いることもできる。これらの中で特に好ましいものは、その表面（被清掃面に臨む面）にシリコーン塗布などの摩擦抵抗を低減させる処理を施したものある。前記滑らかな部位１３を構成するシート材の厚さは、第１及び第２のシートの種類にもよるが、２μｍ〜２ｍｍ、特に５μｍ〜１００μｍであることが、十分な清掃性能の発現の点、及び摩擦抵抗の低減の点から好ましい。
【００３０】
前記滑らかな部位１３を構成するシート材と第１のシート１１及び第２のシート１２との接合には、ホットメルト等の粘着性物質による接着、熱融着などが用いられる。
【００３１】
本実施形態の清掃用シート１０は、清掃時における起毛面との摩擦係数が小さいので、これを図３に示すような清掃具本体１におけるヘッド部２に装着させれば、立った姿勢で小さな力で起毛面を清掃できる。図３に示す清掃具本体１は、清掃用シート１０が装着可能である平坦面を下面に有する平板状のヘッド部２、及び該ヘッド部２の上面に設けられた自在継手３を介して該ヘッド部２と連結した棒状の柄４から構成されている。清掃用シート１０は、該ヘッド部２の上面に設けられた、放射状のスリットを形成する可撓性の複数の片部５によって固定される。清掃用シート１０は、清掃具本体１における前記平坦面に、前記滑らかな部位１３が被清掃面に臨むように装着されて使用されることが好ましい。
【００３２】
次に、本発明の別の実施形態について説明する。本発明の清掃用シートの元となる図１に示す清掃用シート１０を図４に示す清掃具２０に装着させて使用することで、清掃時における摩擦力が一層低減して、立った姿勢で一層楽に起毛面を清掃できる。図４に示す清掃具２０は、図２に示す清掃具本体１と、一面を清掃具本体１のヘッド部２における前記平坦面に向けて該ヘッド部２に着脱自在に装着され且つ所定形状の開口部６，６を有する装着用シート７とを有するものである。装着用シート７における少なくとも被清掃面に臨む面は、プラスチックのフィルム等の滑らかなシート材からなる。装着用シート７における開口部６は長方形であり、同寸法のものが２箇所に設けられている。装着用シート７を構成するシート材としては、第２の実施形態における前記滑らかな部位１３を構成するシート材と同様のものを用いることができる。
【００３３】
開口部６の大きさは、清掃用シート１０の一部が露出する程度であればよく特に制限されないが、ヘッド部６の長手方向と平行な方向に関し、２つの開口部６，６の合計の長さが、ヘッド部６の長手方向の長さの５〜９５％、特に４０〜８０％であることが好ましい。ヘッド部６の短手方向と平行な方向に関し、開口部６の長さが、ヘッド部６の短手方向の長さの５〜９５％、特に５０〜９０％であることが好ましい。
【００３４】
清掃中における清掃用シート１０の位置ずれを防止する目的で、或いは、装着用シート７を補強する目的で、装着用シート７における清掃用シート１０との対向面に、装着用シート７として用いられる平滑なフィルム等のシート状物以外のシート、例えばスパンレース不織布等の不織布を貼り合わせても良い。この場合、装着用シート７における被清掃面に臨む領域の厚さは、清掃用シート１０の種類等によって異なるが、５μｍ〜５ｍｍ、特に５μｍ〜５００μｍであることが好ましい。前記領域以外の領域の厚さは、装着に支障がなければ特に制限されない。
【００３５】
図４に示す清掃具２０において、清掃用シート１０は、前記平坦面と装着用シート７との間に挟持されて、該装着用シート７の開口部６，６から、第１のシート１１及び第２のシート１２、即ち掻き取り部及び高保持部の一部が露出する状態で、起毛面の清掃に使用される。清掃用シート１０をこのような使用状態とすることによって、装着用シート７の滑らかさに起因して、起毛面上で清掃具２０が滑りやすくなり、清掃時における摩擦力が一層低減する。
【００３６】
図４に示す実施形態を、本発明の一実施形態である図２に示す清掃用シートに応用した例が図５に示されている。図５に示す清掃用シート１０は、図２に示す実施形態の清掃用シートの変形例であり、或いは図１に示す清掃用シートと前述の装着用シート７とを一体化させたものであるとも言える。
【００３７】
詳細には、図５に示す清掃用シート１０においては、前述の装着用シート７が、図２に示す実施形態の清掃用シートにおける清掃に直接寄与しない滑らかな部位（即ち摩擦低減部位）１３に相当する。その結果、図５に示す清掃用シート１０においては、第１のシート１０からなる掻き取り部、第２のシート１２からなる高保持部、及び装着用シート７からなる前記滑らかな部位１３が、清掃用シート１０の清掃面内に規則的に配置されたものとなる。
【００３８】
本発明の清掃用シートは、カーペット、絨毯、ソファー、自動車シート等の起毛した面（例えばループ状に起毛した面）の清掃に特に好適に用いられるが、その他の種類の清掃面、例えばフローリング等の平坦面に適宜適用してもよい。
【００３９】
本発明は、前記実施形態に制限されない。例えば、図１、図２及び図５に示す清掃用シートにおいては、高保持部を構成する第２のシート１２上に、掻き取り部を構成する第１のシート１１を一体的に形成してもよい。例えば高保持部を構成するスパンレース不織布上に部分的に且つ一体的にエアレイド不織布を形成して、該エアレイド不織布の部分を掻き取り部となしてもよい。
【００４０】
また、前記実施形態においては、第１のシート１１の上面１１ａと第２のシート１２の上面１２ａとの間に段差を設けたが、これに代えて、第１のシート１１の上面と第２のシート１２の上面とがほぼ同一面上に位置するようにしてもよい。
【００４１】
また、掻き取り部と高保持部の配置パターンは、図１、図２及び図５に示すものに限られず、本発明の清掃用シートの具体的な用途や使用形態等に応じて種々のパターンを用いることができる。また前記滑らかな部位についても同様である。
【００４２】
また、短冊状の第１シート１１と、同じく短冊状の第２シート１２と、これらのシートよりも寸法の大きな第３のシート上に貼り付けて本発明の清掃用シートとなすこともできる。この場合、各シートの接合方法は前述した方法と同様である。また第３シートとして短冊状の粘着シートを複数枚用い、該粘着シートによって短冊状の第１シート１１と、同じく短冊状の第２シート１２とを接合し、一枚のシートになすこともできる。更に、第３のシートとして、前述した摩擦低減部位１３を構成するシート材を用いることもできる。
【００４３】
また、本発明の清掃用シートには、起毛面の消臭、除菌、清掃効果を高めること等を目的として、種々の洗浄剤等を含浸、或いはスプレー等により添加することも可能である。また、洗浄剤等を被清掃面に噴霧しながら、本発明の清掃用シートを用いて清掃することも効果的である。
【００４４】
また、本発明の清掃シートは、図３や図４に示す清掃具２０や清掃具本体１に装着されて使用される以外に、ハンディタイプの清掃具、例えば本出願人の出願に係る特開平９−２９９３０７号公報の図２に示される清掃具等に装着されてもよい。
【００４５】
【実施例】
以下、実施例により本発明を更に詳細に説明する。しかしながら、本発明は、これらの実施例に制限されない。
【００４６】
〔参考例１〕
芯がポリプロピレンで鞘がポリエチレンからなる繊維長５ｍｍ、繊度６デニール（６．７ｄｔｅｘ）の芯鞘型複合繊維を原料として、エアレイ法によって坪量が４０ｇ／ｍ2の第１のウエブを形成した。このウエブ上に芯がポリプロピレンで鞘がポリエチレンからなる繊維長５ｍｍ、繊度７２ｄｔｅｘ（６５デニール）の芯鞘型複合繊維を原料として、エアレイ法によって坪量が８０ｇ／ｍ2の第２のウエブを積層し、次いで熱風を吹き付けることでこれらの構成繊維を熱融着させ、坪量１２０ｇ／ｍ2のエアレイド不織布を得た。
【００４７】
得られたエアレイド不織布を原反の幅方向に２６０ｍｍ、長さ方向に２５ｍｍにカットして第１の短冊状シートを２枚得た。また幅方向に２６０ｍｍ、長さ方向に２０ｍｍにカットして第２の短冊状シートを１枚得た。第１及び第２の短冊状シートの厚みは３．３ｍｍであった。
これとは別に、花王（株）製のフロアクイックルドライシート（商品名、スパンレース不織布）を２６０ｍｍ×１００ｍｍにカットした。このドライシートの長辺に沿って、第１の短冊状シートをその長辺が前記ドライシートの長辺方向と一致するように配置し、両シートを市販の両面粘着テープ〔ＮＩＴＴＯ  Ｎｏ．５００  日東電工（株）製〕で固定した。また前記ドライシートの長辺から短辺方向内側へ向かって４０ｍｍから６０ｍｍの位置に、第２の短冊状シートをその長辺が前記ドライシートの長辺方向と一致するように配置し、両シートを前記両面粘着テープで固定した。第１及び第２の短冊状シートは、その第２のウエブ側が外方を向くように前記ドライシートに固定した。このようにして得られた清掃用シートは図１に示すタイプのものであり、短冊状シートの固定面側を清掃面として用いた。
【００４８】
〔参考例２〕
参考例１のエアレイド不織布に代えて、芯がポリプロピレンで鞘がポリエチレンからなる繊維長５ｍｍ、繊度３５ｄｔｅｘ（３２デニール）の芯鞘型複合繊維を構成繊維とするエアレイド不織布（坪量７０ｇ／ｍ2）を用いる以外は参考例１と同様にして図１に示すタイプの清掃用シートを得た。
【００４９】
〔比較例１〕
芯がポリプロピレンで鞘がポリエチレンからなる繊維長５ｍｍ、繊度２０ｄｔｅｘ（１８デニール）の芯鞘型複合繊維を原料として、エアレイ法によって坪量が７０ｇ／ｍ２のウエブを形成した。次いで熱風を吹き付けることでこれらの構成繊維を熱融着させてエアレイド不織布を得た。これを原反長さ方向約１００ｍｍ、幅方向約２６０ｍｍにカットし清掃用シートとして用いた。
【００５０】
〔比較例２〕
ポリエチレンテレフタレートからなる繊維長５１ｍｍ、繊度１．７ｄｔｅｘ（１．５デニール）の繊維５０重量％と、レーヨンからなる繊維長５１ｍｍ、繊度１．７ｄｔｅｘ（１．５デニール）の繊維５０重量％とを混綿し、セミランダムカード機を用い坪量３０ｇ／ｍ２のカードウエブを得た。これを第１のウエブとする。
【００５１】
第２繊維ウエブとして、エチレン−プロピレンランダム共重合体からなる繊維長５１ｍｍ、繊度２．２ｄｔｅｘ（２．０デニール）の熱収縮性繊維を繊維５０重量％と、レーヨンからなる繊維長５１ｍｍ、繊度１．７ｄｔｅｘ（１．５デニール）の繊維５０重量％とを混綿し、セミランダムカード機を用い坪量１５ｇ／ｍ２のカードウエブを得た。これを第２のウエブとする。
【００５２】
第１のウエブ上に、線径０．２ｍｍの線状体が１辺０．９５ｍｍの間隔で格子状に配されたポリプロピレン製ネットからなる網状構造物を重ね、更にその上に第２のウエブを重ねた。孔径０．１ｍｍのオリフィスが０．６ｍｍ間隔で設けられたノズルを用い、第１のウエブに向けて水圧２ＭＰａの柱状水流を２回噴射し、ポリプロピレン製ネットと両ウエブの構成繊維とを絡合させて、スパンレース不織布を得た。熱処理温度１３５℃、オーバーフィード率１４０％の条件下に、このスパンレース不織布中の熱収縮性繊維を収縮させた。その結果、第１のウエブ側にしわが形成され、ポリプロピレン製ネットはほとんど収縮せず、不織布の厚さ方向（両ウエブ側）に隆起した突起状物が形成された。これを原反長さ方向約２６０ｍｍ、幅方向約１００ｍｍにカットした。この不織布における第１のウエブ側を清掃面として用いた。
【００５３】
〔実施例１〕
芯がポリプロピレンで鞘がポリエチレンからなる繊維長５ｍｍ、繊度７２ｄｔｅｘ（６５デニール）の極太芯鞘型複合繊維を９０％、及び芯がポリプロピレンで鞘がポリエチレンからなる繊維長５ｍｍ、繊度1.７ｄｔｅｘ（１.５デニール）の芯鞘型複合繊維を１０％含む坪量５０g／ｍ2のウエブを、エアレイ法によってスパンボンド不織布上に積層し、次いで熱風を吹き付けることでウエブの構成繊維同士及び該構成繊維とスパンボンド不織布を熱融着させ、坪量７０g／ｍ2のエアレイド不織布を得た。スパンボンド不織布は、芯がポリプロピレンで鞘がポリエチレンからなる芯鞘型複合繊維を原料とする坪量２０g／ｍ2のものであった。
【００５４】
得られたエアレイド不織布を原反の幅方向に２６０ｍｍ、長さ方向に２５ｍｍにカットして第１の短冊状シートを２枚得た。また幅方向に２６０ｍｍ、長さ方向に２０ｍｍにカットして第２の短冊状シートを１枚得た。第１及び第２の短冊状シートの厚みは１．２ｍｍであった。
【００５５】
これとは別に、花王（株）製フロアクイックルドライシート（商品名、スパンレース不織布）約２０５ｍｍ×約２６０ｍｍを準備した。このドライシートの一面上に、前述の方法で得られた第１の短冊状シートを２枚、及び第２の短冊状シートを一枚貼り付けた。貼り付け位置は次の通りである。前記ドライシートの短辺方向の中心から５０ｍｍずつ長辺方向へ離れた矩形状の領域（１００ｍｍ×２６０ｍｍ）をセンター部分とし、そのセンター部分の片方の長辺から０〜２５ｍｍ及び７５〜１００ｍｍの位置に第１の短冊状シートを、４０〜６０ｍｍの位置に第２の短冊状シートをそれぞれ、極太繊維の面が外方を向く状態で貼り付けた。貼り付けには実施例１及び２で用いた市販両面粘着テープと同様のものを用いた。
【００５６】
約１５０ｍｍ×約２６０ｍｍの寸法で、厚さ約６０μｍポリプロピレン製フィルムを用意した。このフィルムには、後述する髪の毛の捕集性能の評価で用いる装着用シートと同様の開口部が設けられていた。
【００５７】
前記ドライシートにおける前記短冊状シートの貼り付け面上に、清掃面短手方向における中心から各長辺方向へそれぞれ５０ｍｍ〜６５ｍｍ離れた位置、及び長手方向における各端からそれぞれ１０ｍｍ内側の位置に、紙製両面粘着テープを貼り付け、更にその上に前記フィルムを貼り合わせた。貼り合わせに際しては、前記ドライシートの短手方向の中心線と、前記フィルムの短手方向の中心線とが一致するようにした。また前記フィルムの滑りやすい面が前記短冊状シートに対向するようにした。このようにして得られた清掃用シートは、図５に示すタイプのものであった。
【００５８】
〔性能評価〕
実施例、参考例及び比較例の清掃用シートにについて、以下の方法で髪の毛の捕集性能及び綿ボコリの捕集性能を評価した。その結果を表１に示す。
【００５９】
〔髪の毛の捕集性能の評価〕
各清掃用シートを図４に示す清掃具〔花王（株）製のクイックルワイパー〕にそれぞれ装着させた。この清掃具におけるヘッド部は、装着面の寸法が約１００ｍｍ×２６０ｍｍで、比較的小さい凹凸が形成されているものであった。
【００６０】
実施例１及び２並びに比較例１及び２の清掃用シートにおいては、以下に説明する装着シートを用いて装着を行った。実施例３においては該装着シートは用いなかった。
【００６１】
（１）装着用シートの製造
装着用シートは以下の方法で製造した。先ず、厚さ約３０μｍのポリエチレンテレフタレート（ＰＥＴ）製フィルムとスパンレース製不織布〔花王（株）製のフロアクイックルドライシート〕とを、市販の紙製両面粘着テープにより貼り合わせた。ＰＥＴ製フィルムの寸法は約１５０ｍｍ×約２６０ｍｍ、スパンレース製不織布の寸法は約２１０ｍｍ×約２６０ｍｍであり、両者のセンターが一致するように貼り合わせた。ＰＥＴ製フィルムは、スパンレース製不織布との貼り合わせ面と反対側の面に、粘着剤の剥離処理に用いられる剥離剤が施されていた。
【００６２】
次いで、この貼り合わせシートに４７．５ｍｍ（ヘッド部の長手方向に沿う長さ）×８０ｍｍ（ヘッド部の幅方向に沿う長さ）の寸法の開口部を４つ設けた。４つの開口部は、ヘッド部の長手方向に沿って配列させた。各開口部間の３箇所の距離はそれぞれ１０ｍｍ、３０ｍｍ及び１０ｍｍとし、ヘッド部の長手方向に沿う各端部から両端にそれぞれ位置する開口部までの距離は何れも１０ｍｍとした。また、ヘッド部の幅方向に沿う各端部から開口部までの距離はそれぞれ３５ｍｍとした。このようにして装着用シートを得た。
【００６３】
（２）髪の毛の捕集本数の測定
被清掃面として、ポリエステル１００％からなる市販カットパイルカーペット（マリポーザ、スミノエ製）を用いた。このカーペット上の幅約５００ｍｍ×長さ約８００ｍｍの領域に、長さ約１００ｍｍの髪の毛１０本を散布し、散布領域内を、各清掃用シートが装着された清掃具を４回往復させた。清掃用シートに捕集された髪の毛をそのままにして、髪の毛の散布及び清掃具による清掃を更に３回繰り返し、最終的に清掃用シートに捕集された髪の毛の本数を該清掃用シートの捕集性能とした（散布された髪の毛の総量は４０本となる）。
【００６４】
〔綿ボコリの捕集性能〕
被清掃面として、アクリル８５％、ナイロン１５％からなる市販のカットパイルカーペット（商品名；サンハーモニー、サンゲツ製）を用いた。このカーペット上の幅約５００ｍｍ×長さ約１ｍの領域に、市販アクリル１００％毛糸を１〜３ｍｍにカットしたものを１回当たり０．５ｇ散布した。清掃具に装着された清掃用シートを用いて、毛糸の散布領域内を３０往復させた。清掃具から清掃用シートを取り外しその重量を測定した。測定された重量から、清掃具に装着前に予め測定しておいた清掃用シートの重量を差し引き、その値を綿ボコリの捕集量（ｇ）とした。この捕集量を散布量、即ち０．５ｇで除しパーセントで示したものを捕集率（％）とした〔捕集率（％）＝捕集量（ｇ）／０．５ｇ×１００〕。加えて測定後のカーペット表面における毛玉状物の発生の有無を目視観察した。評価基準は、◎：発生なし、○：発生の兆し、△：少し発生、×：多数発生とした。
【００６５】
【表１】
0003628606.tif 000002
【００６６】
表１に示した結果から明らかなように、実施例１における清掃用シート（本発明品）は、起毛面から髪の毛の除去について高い性能を示す。また、綿ボコリの捕集性においても、実用上の十分な性能を示すことが分かる。一方比較例では、どちらの性能も十分とはいえない。このことから、表面エアレイドを有する掻き取り部、高保持部及び摩擦低減部位を有する本発明の清掃用シートが、実使用場面でも十分に効果を示すことが分かる。
【００６７】
【発明の効果】
本発明の清掃用シートは、カーペット等の起毛面に絡み付いている髪の毛や綿ぼこり等の繊維状のダストの清掃性に優れる。
また本発明の清掃用シートは、起毛面を傷めることなく清掃性に優れる。
更に本発明の清掃用シートは、立った姿勢でも楽に起毛面の清掃ができる。
【図面の簡単な説明】
【図１】本発明の清掃用シートの元となる清掃用シートを示す斜視図である。
【図２】本発明の清掃用シートの一実施形態を示す斜視図（図１相当図）である。
【図３】図２に示す清掃用シートの一使用形態を示す図である。
【図４】図１に示す清掃用シートの一使用形態を示す図である。
【図５】本発明の清掃用シートの別の実施形態を示す斜視図（図１相当図）である。
【符号の説明】
１  清掃具本体
２  ヘッド部
３  自在継手
４  柄
５  片部
６  開口部
７  装着用シート
１０  清掃用シート
１１  第１のシート
１２  第２のシート
１３  摩擦低減部
２０  清掃具
【図１】
0003628606.tif 000003
【図２】
0003628606.tif 000004
【図３】
0003628606.tif 000005
【図４】
0003628606.tif 000006
【図５】
0003628606.tif 000007